(57)【特許請求の範囲】
【請求項１】
移動無線電話網用アクセスネットワークであり、各々１つまたは複数の移動局を受けることができる複数の基地局が直接または集中ノードを介して接続された二重バスまたは双方向二重リングによって形成されており、その移動ネットワークのアクセスネットワークと遠隔通信網との間の通信路はアクセス点によって確保されており、アクセス点を介する固定ネットワークと移動局を管理する基地局を介する移動局との間の各移動接続には、移動局が同じアクセスネットワーク内に留まる限りその接続によるサービスの種類及び基地局に関係なく１対の仮想回線が割り当てられ、その仮想回線の識別子は、接続中、情報を伝送するセルのヘッダが有することを特徴とするネットワーク。
【請求項２】
無線電話網の加入者である移動局と遠隔通信ネットワークの加入者との間の接続を、請求項１に記載の移動局を管理するアクセスネットワークの基地局と遠隔通信ネットワークのアクセス点との間の移動接続によって設定する方法であって、
−上記アクセスネットワーク上のノードで、上記アクセス点と上記基地局とが上記移動接続の両接続終端点となるような、上記アクセス点と上記基地局との間の上記移動接続の設定を要求し、当該要求は、仮想回線識別子を含み且つ上位階層から識別子を管理する階層への命令をアクティブにするメッセージを送信することを含み、識別子を管理する上記階層は、上記識別子と上記接続終端点との間の組合せを生成し、
−仮想回線を管理するノードの階層によって、上記上位階層に成功または失敗の表示を送り、上記移動接続の設定の終了を示し、
読出動作のため、アクセスネットワークの各ノードで、
−リング上をセルを循環させ、
−そのセルをコピーし、
−仮想回線識別子を分析し、
−読出識別子が除去されたセルを、接続終端点にむけてノードの上記上位階層に通過させ、
書込動作のため、
−接続終端点を介してネットワークのノードに情報セルを送り、
−書込識別子をセルに加え、
−そのセルをリングの流れに挿入する
ことからなることを特徴とする方法。
【請求項３】
異なる２つの無線リンクを介して同じ移動局からの通信を受ける、請求項１に記載の移動無線電話網のアクセスネットワークの２つの基地局間の自動セル間転送方法であって、
１）アクセス点及び第１の基地局との間の通信中の接続参照及び転送されるべき通信中の接続で使用される回路と同一の読出及び書込で使用される仮想回線の識別子を含む、第２の基地局への新しい仮想リンクを設定するメッセージを、移動局により直接または第１の基地局を介して送り、
２）第２の基地局の上位階層において、転送すべき接続に組み合わされたコンテキストを生成し、
３）リングの仮想回線を管理する第２の基地局の階層により、上記の転送すべき接続に組み合わされたコンテキストに対応する接続端部の点へ転送すべき接続の仮想回線を識別子を組み合わせ、
４）第１の基地局中の接続のコンテキストを破壊する
からなることを特徴とする方法。
【請求項４】
同じ移動局に異なる無線リンクを介して各々接続された２つの基地局間のマクロダイバーシチを実施する方法であって、
−請求項３に記載の段階１〜３によって決定されたような２つの基地局間の自動セル間転送を行い、
−接続中に、移動局でマクロダイバーシチがある場合、移動局を介してアクセス点に、及び、アクセス点を介して移動局へ、送り出し側のセルから転送されるセグメントの一貫した番号付けを行うことを特徴とする方法。
【請求項５】
上記セグメントの一貫した番号付けの段階は、基地局が少なくとも下降の方向のフレームで同期化されている場合には、基地局の無線フレーム数を使用することからなる請求項４に記載の方法。
【請求項６】
上記セグメントの一貫した番号付けの段階は、コールの開始時に移動局から同時に下降の方向に２つの基地局に同期化信号を送ることからなることを特徴とする請求項４に記載の方法。
【請求項７】
遠隔通信ネットワークの加入者と無線電話網の加入者である移動局との間に接続を設定する方法であって、請求項１に記載のそのアクセスネットワークへの伝送を媒体としてＤＱＤＢ(Distributed Queue Dual Bus)規格に適合し、複数の基地局が直接または集中ノードを介して接続された二重リングまたは二重バスによって形成されたネットワークを使用し、その方法は、
−ＱＡ(queue attributed)スロットを管理する機能ブロック内で管理主体ＬＭＥによって使用されるプリミティブＯＰＥＮ  ＣＥ  ＣＯＣＦによる、接続端部点（ＣＥＰ）またはすなわち読出及び書込に使用される仮想回線との接続端部点の接続の第１段階を備え、
上記の方法はＱＡスロットを管理する機能ブロックによって実施される下記の段階を備え、すなわち、
ＤＱＤＢ規格に適合するネットワークから来る情報要素を読み出す動作では、
−使用中と表示された全セルを受信し、
−そのセルのヘッダの有効性を検査し、
−読出モードでの仮想回線識別子を備える上記ヘッダを除去し、
−このようにして得られたセグメントを上位階層に該ヘッダに含まれる仮想回線識別子に対応する接続端部点へ向けて伝送し、
及びＤＱＤＢ規格に適合するネットワーク上の書込動作では、
−上位階層によって接続端部点が送り出したセグメントを受信し、
−この接続端部点に接続され、接続に向かうサービスのために使用されるＣＯＣＦ(Connection Oriented  Convergence Function) によって指定された書込モードで仮想回線を含むヘッダを加え、
−ネットワークの同様な点に向けて、二重リングまたは二重バスの適切なバスにこのように形成されたセルを転送する
ことからなることを特徴とする方法。
【請求項８】
遠隔通信ネットワークの加入者と無線電話網の加入者である移動局との間に接続を設定する方法であって、請求項１に記載のそのアクセスネットワークへの伝送媒体として複数の交換区域を含むＡＴＭ(Asynchronous Transfer Mode)規格に適合するネットワークを使用し、その交換区域は、各々、各方向にデータバスを形成するように流入／流出対に組織化された少なくとも４つの仮想回線によってネットワークに接続され、アクセスネットワークのリングのノードを構成する１区域に１つのＡＴＭスイッチに接続された１つまたは複数の基地局を含み、その方法は、読出動作のため、
−仮想回線によって到達するセルを流入仮想回線に接続された各流出仮想回線に体系的にコピーし、
−流入仮想回線によってＡＴＭ交換局に到着するセルの仮想回線識別子（ＶＣＩ）を検査し、
−その識別子（ＶＣＩ）がＡＴＭ交換局への基地局の接続又はネットワークのアクセス点によって管理された接続に対応しない時その検査したセルを破壊し、
−その識別子が基地局及びアクセス点によって各々管理された接続に対応する時は各々基地局及び遠隔通信ネットワークが接続された内部双方向バスにセルを送り、
−各々その基地局及びアクセス点によってセルを読出し、各々ヘッダ内に識別子を含まず移動局及び遠隔通信ネットワークに送り、
読出動作では、
−基地局が仮想回線識別子を加えるセグメントを移動局によって基地局に送り、
−セルの循環の方向の応じて各仮想回線の方に書き込まれたセルからアクセスする
ことを特徴とする方法。
【発明の詳細な説明】
【０００１】
【産業上の利用分野】
本発明は、移動無線電話網のリングアクセスネットワークに関するものである。本発明は、音声形式であれデータ形式であれセル（セルラー）間自動転送中の通信の品質を向上させるためのアクセスネットワークの新規な構造を提案するものである。この品質の向上は、転送時間自体の短縮と、同時に或る期間中、移動局と古い基地局及び新しいターゲット基地局との接続を維持することができるマクロダイバーシチを導入することによって得られる。これらの２つの接続を通る情報はネットワークの１点で組み合わされ、より優れた品質の単一の情報流を提供する。
本発明は、特に、現在の２つの型のネットワーク、すなわち、ＤＱＤＢ(Distributed Queue Dual Bus)規格によるネットワーク及びＡＴＭ（非同期伝送モード(Asynchronous Transfer Mode)) で実施される。
【０００２】
【従来の技術】
移動局とネットワーク間の伝送がデジタルであるＧＳＭ型ネットワークの目的は、加入者がサービス区域内でどのように移動しても加入者に遠隔通信サービスを提供することである。移動する加入者は、通常ネットワークとの対話に必要な無線及びソフトウェア能力を備える移動機器によって構成された移動局（ＭＳ）を使用する。ＧＳＭネットワーク等の現在の無線電話網は、図１に示すように、サービス区域の無線カバーを確実にし、各々基地局コントローラ（ＢＳＣ、Base Station Controller)に接続された基地局（ＢＴＳ、Base Transceiver Station) を備える星型中央集中構造を示す。各基地局コントローラ（ＢＳＣ）は、固定ネットワークの加入者に接続された移動サービス交換センター（ＭＳＣ、Mobile Services Switching Center) に接続されている。情報と信号は、物理的に移動局と移動サービス交換センター（ＭＳＣ）間を循環する。基地局コントローラ（ＢＳＣ）は、加入者の知識がないので、それらの識別子及びコールを分析しない活動について無線チャネルの監視、配置及び解除を組織し、一方、移動サービス交換センターは、コールのセットアップ、コールの解除及び加入者の識別子及びそられのコールに関する全てのことを管理する。
【０００３】
今後、無線電話が急速に発展するだろうと考えられるので、高密度の領域には小型化されたセルを考案する必要があるが、現在使用されているシステムと比較してセルのサイズを小型化するためには、自動セル間転送（ＡＩＴ、Automatic Intercellular Transfer) はより頻繁になるので、その自動セル間転送を可能にする装置の改良が必要であり、その自動セル間転送によって移動局が地上固定局ネットワークとのその結合点を変えることができ、同時に通信中のコールを維持することができることが必要である。
【０００４】
【発明が解決しようとする課題】
無線電話網のこの一般的に星形のアーキテクチャは、固定点から新しい基地局に新しい回路をセットすることを必要とする。これは、固定点と基地局との間に位置する１つまたは複数の主体(entity)を含むことが必要になることを意味する。これは、ＧＳＭシステムでは 200ミリ秒以上の大きな時間のずれ（空白）を生じるという欠点がある。これらの空白は、ユーザにわかるような、または無視できない期間の間データの伝送を中断する。
この星形アーキテクチャの第２の欠点は、基地局間または基地局コントローラ間では、高い階層（レイヤー）レベル、すなわち、基地局コントローラまたは移動サービス交換センターを通過することが必要なので、直接通信が不可能であることである。この間接通信は、この高いレベルを管理するプロセッサに不必要に重い負担をかけ、メッセージが宛先基地局に到着することを遅延させる。これらのメッセージは、部分的にセル間転送を制御するために使用される。
【０００５】
第３の欠点は、基地局と基地局コントローラとの間、基地局コントローラ（ＢＳＣ）と基地局コントローラ（ＢＳＣ）との間のリンクが飽和しているが、近傍のリンクが空いている時でも、星形の各端部の間で通過域全体を共有することができないことである。
また、マクロダイバーシチの導入、すなわち、２つ以上の無線リンクの同時使用によって、現在使用されている無線電話システムは、ネットワークの特定の装置または移動局及びプロシージャを管理して、マクロダイバーシチをアクティブにし、実施し、停止させることが必要になる。このマクロダイバーシチ装置は、第１に移動局からネットワークに下方にまたは上方に通信中のコールに関係する２つの回路すなわち新しい回路及び古い回路を管理し、及び第２に不必要になると古いリンクの解除を管理しなければならない。また、移動局でのマクロダイバーシチの場合、第１の下方リンクによって実施されたように、ネットワークから移動局に同じ情報要素を転送する第２の下方リンクを備えるまたは設定することが必要である。従って、同じ情報要素を伝送するために２つのリンクが使用される。
【０００６】
【課題を解決するための手段】
本発明の第１の目的によるならば、移動無線電話網用アクセスネットワークであって、当該移動無線電話網用アクセスネットワークが、各々１つまたは複数の移動局を受けることができる複数の基地局が、直接または集中ノードによって接続される二重バス（デュアルバス）または二重逆回転リングによって形成されており、当該移動無線電話網用アクセスネットワークと固定電話網との間の通信路はアクセス点によって確保されており、アクセス点を介する固定ネットワークと移動局を管理する基地局を介する移動局との間の各移動接続には、移動局が同じアクセスネットワーク内に留まる限りその接続によるサービスの種類及び基地局に関係なく１対の仮想回線が割り当てられ、その仮想回線の識別は接続時情報の伝送を確実にするセルのヘッダによって実施されることを特徴とする移動無線電話網用アクセスネットワークが提供される。
【０００７】
本発明の別の目的によるならば、異なる２つの無線リンクによって同じ移動局を受ける上記のような特徴の移動無線電話網のアクセスネットワークの２つの基地局間の自動セル間転送方法であって、下記の段階、すなわち、１）アクセス点及び第１の基地局との間の通信中の接続参照及び転送されるべき通信中の接続で使用される回路と同一の読出及び書込で使用される仮想回線の識別子を含む、移動局によるまたは第１の基地局から第２の基地局への新しい仮想リンクを設定するメッセージの発送、
２）第２の基地局の上層階層での転送すべき接続に組み合わされたコンテキストの生成、
３）リングの仮想回線を管理する第２の基地局の階層による上記の転送すべき接続に組み合わされたコンテキストに対応する接続端部の点に転送すべき接続の仮想回線の識別子の組み合わせ、及び、
４）第１の基地局中の接続のコンテキストの破壊からなることを特徴とする方法が提供される。
【０００８】
ＤＱＤＢ規格によるネットワークへの本発明の適用に関して、エー. デー. メリアン(A. D. Malyan)、アール. ダブリュー. ドナルドソン(R. W. Donaldson) 及びヴィ. シー. エム. ラン(V. C. M. Leung) の論文「IEEE 802.6 MANを使用するパーソナルコミュニケーションネットワークアーキテクチャ(A Personal Communication Network Architecture Using the IEEE 802.6 MAN) 」〔Proc. ICC 92、paper 342.6 、1992〕ではこの規格によって提供される等時サービスを使用することを提案している。それによっては、アクセスネットワークを変更せずにマクロダイバーシチを実現することはできない。従って、本発明は、後に説明するように、ＤＱＤＢ規格のコネクション型非同期サービスを使用する。
【０００９】
ＡＴＭネットワークに関して、ケー. エス. メイヤー−ヘルスターン (K. S. Meier-Hellstern)、ジー. ピー. ポリーニ(G. P. Pollini) 及びディ. ジェー. グットマン(D .J. Goodman) の論文「IEEE 802.6 首都圏ネットワーク用ワイヤレスサービス(A Wireless Service for the IEEE 802.6 Metropolitan Area Network) 」〔Phoenix、Arizona 、Paper 55.6、December 2-5、1991〕ではＡＴＭを使用した時可能なように仮想回線サービスを提供する環状ネットワークの原理を拡大することやマクロダイバーシチを使用することを提案することなく自動セル間転送中のコールを保持するために仮想回線を使用することが提案されている。
【００１０】
本発明の別の目的によるならば、同じ移動局に異なる無線リンクによって各々接続された２つの基地局間のマクロダイバーシチを実施する方法であって、下記の段階、すなわち、
−第１の基地局中の接続コンテキストを破壊することなく、上記の特徴の段階１〜３によって決定されたような２つの基地局間の自動セル間転送段階と、
−接続中に、移動局でマクロダイバーシチがある場合、移動局を介してアクセス点に、及び、アクセス点を介して移動局へ、送り出し側のセルから転送されるセグメントの一貫した番号付けを行う段階とを、
備えることを特徴とする方法が提供される。
【００１１】
本発明の他の２つの目的によるならば、通信ネットワークの加入者と無線電話網の加入者である移動局の一方がＤＱＤＢ規格によるアクセスネットワークを、もう一方がＡＴＭ規格によるアクセスネットワークを使用してその両者の間に接続を設定する方法であって、これらのアクセスネットワークは上記に特徴を示したような双方向二重リングまたは二重バスによって構成されている方法である。
本発明のその他の特徴及び利点は、下記の添付図面を参照して行う実施例の説明から明らかになろう。それらの図面は、既に説明した図１を除いて、ＧＳＭ型星形ネットワークの概略図である。
【００１２】
【実施例】
本発明の目的であるアクセスネットワークは、双方向二重リングすなわちデュアルバス（互いに逆方向に回るデュアルバス）を備え、そのバスまたはリング上に全基地局ＢＳが相互接続されている。このアクセスネットワークは、基地局間を移動する１つまたは複数の移動局ＭＳと、それら接続関係にある固定又は移動の通信者との間の媒体として働く。基地局は、図２に示すように直接または集中ノードＮＤを介してこのアクセスネットワーク、いわゆるローカル移動ネットワーク（ＬＭＮ、Local Mobile Network) に接続される。図２は、本発明による双方向二重リングを備えるローカル移動ネットワークの概略図を図示したものである。基地局が集中ノードを介してネットワークに接続されている時、その制御機能はノード自体によって満たされることができる。このローカル移動ネットワークは、それ自体アクセス点ＰＡと呼ばれる通信路によって遠隔通信ネットワークに接続されており、そのアクセス点は二重バスまたは双方向二重リングの端部の１つに位置していなければならない。複数のローカル移動ネットワークは、アクセス点によってまたは特定の通信路Ｐａによって相互接続される。
【００１３】
本発明の基本的な特徴によると、そのようなアクセスネットワークは、自律的に且つアクセス点を介入させずに、すなわち、基地局間で直接的にそのネットワークに接続された基地局間の移動局の転送を管理することかできる。従って、移動局がローカル移動ネットワークに接続された基地局の活動範囲にある限り、そのアクセスネットワークが接続されている遠隔通信ネットワークもアクセス点もコール中の移動局に関与しない。コールが移動局とその発信者との間にまたは移動局とその受信者との間に設定されなければならない時、その移動局を管理する基地局と遠隔通信ネットワークの方へのアクセス点との間に移動接続が形成され、その接続に１対の仮想回線が設置される。各仮想回線は、遠隔通信ネットワークと移動局との間のコールの１方向に使用される。また、二重バスの場合仮想回線識別子が等しいように仮想回線の割り当てが調整されるようにすることもできる。通信能力はネットワークの２つの存在（アクセス点と基地局）が必要とする時しか通信能力は付与されないので、この回線は仮想と呼ばれることが知られており、接続によって提供されるサービスとは無関係である。
【００１４】
コール時使用される仮想回路識別子は、情報の伝送を確実にするセルのヘッダに存在する。
移動局と対話者との間の通信は、移動局が無線によって接続されている基地局とローカル移動ネットワークのアクセス点との間に移動接続を必要とする。この基地局及びアクセス点は各々、双方向二重リングすなわち二重バスのノードを構成し、２つの機能を果たす。第１の機能は、基地局の場合無線へ、及びアクセス点の場合遠隔通信ネットワークへの相互機能処理に対応する。第２の機能は、双方向二重リングまたは二重バスへのノードの帰属に対応する。ローカル移動ネットワークの外部の移動局または対話者がコールを設定しようとする時、双方向二重リングまたは二重バスの仮想回線を管理する階層に対する命令（またはプリミティヴ(primitive) と呼ばれる)となって現れる上位信号階層中で相互機能処理を始動する接続の設定要求を形成しなればならない。上位階層の要求で、仮想回線を管理する二重バスまたは双方向二重リングのノード階層、すなわち、基地局またはアクセス点は、１つまたは複数の仮想回線識別子（ＶＣＩ）を通信中の移動接続の外部への延長を示す接続終端点（ＣＥＰ、Connection End Point))に組み合わせる。
【００１５】
接続の各方向ごとに、すなわち、アクセス点または基地局によって読み出されるバス上の情報の書込み及び読出のため、仮想回線が必要である。二重バスまたは双方向二重リングのノードにアドレスされる接続設定メッセージは、仮想回線の１つまたは複数の識別子を備える。移動接続を双方向二重リングまたは二重バスの外部の方に延長する接続終端点はノードによって選択され、内部参照としてしか働かない。コール時、双方向二重リング上で情報を伝送し、接続終端点を識別するための読出仮想回線識別子を支持するセルは上位階層でアドレッシングされる。別の方向では、上位階層から来る書込セルに、もう１つの接続終端点を識別するための書込仮想回線識別子が加えられる。
動作を実行して、仮想回線を管理するノード階層は、移動接続の設定の終了を示すために上位階層に向けて成功または失敗の表示を送る。接続終端点から接続終端点まで移動接続の設定を可能にするために移動接続の両接続終端点で同じ一連の動作が実施される。
【００１６】
図３は、ローカル移動ネットワークのノードＮの機能を概略的に図示したものである。接続用の仮想回線が設定されるとすぐに、双方向二重リングＡまたは二重バス上を循環し、読出中の仮想回線識別子ａを有するセルＣは、ネットワークの各ノード（アクセス点または基地局）でコピーされ、そのノードで分析され、一方、バス上を別のノードに向かって循環し続ける。次に、その識別子の分析後及び識別子が知られ、接続終端点に組み合わされた場合、セルは関係する接続終端点ＣＥＰを介して、その識別子なしにノードの上位階層でアドレスされる。もう一方の通信方向では、接続終端点ＣＥＰがネットワークのノードに情報セルを送る時、そのネットワークは、双方向二重リングの流にセルを挿入する前にセルに書込中の仮想回線識別子ｂを加える。本発明によって、ローカル移動ネットワークの内部で自動セル間転送を実施することができる。そのため、仮想回路の同じ識別子は保持され、接続の両端部の１つだけが変更され、アクセス点はこの動作に関与しない。
【００１７】
例えば、図４に示すように、２つの基地局Ｂ及びＢ’間の転送の場合、第１の接続はローカル移動ネットワークのアクセス点と無線接続によって移動局が接続された第１の基地局Ｂとの間に既に設定されており、問題の移動局ＭＳは第２の基地局Ｂ’の方に移動するが、この第２の基地局Ｂ’は接続設定メッセージを受ける。このメッセージは第２の基地局Ｂ’の無線リンクの設定後に移動局主体からでも第１の基地局からでもまたは自動セル間転送の管理の専用の第３の存在から来てもよい。本発明によると、メッセージは通信中の接続参照及び使用される仮想回線の識別子ａ及びｂを含むが、その識別子はアクセス点と第１の基地局との間に設定され、転送されるべき接続のために使用される。この転送を可能にするために、全基地局が同一サポート上に配置されており、全通信を読み出すことができ、アクセス点は二重バスまたは双方向二重リングの端部の一方に位置することが必要である。従って、このサポートは、従来技術のように星形ネットワークではなく、双方向二重リングまたは二重バスでなければならない。従って、ローカル移動ネットワークのアクセス点ＰＡは介入せず、双方向二重リングＡの同じ仮想回線ａ及びｂ上でセルを送ったり、受けたりすることを続ける。
【００１８】
アクセス点と移動局との間の新しいリンクの設定は、仮想回線での受信または送信に必要なコンテキストを設定しようとする新しい基地局の仮想回線を管理する階層まで、命令またはプリミティヴによって実行される。
情報の観点から、それは、古い基地局と新しい基地局との間の仮想回線に組み合わされたコンテキストの転送を構成する。設定メッセージによって、異なる物理的特性を有する無線インターフェースの側にコンテキストを組み合わせたまま新しい基地局中に接続コンテキストを再生成することができる。その時２つのケースが考えられる。１つは第１の基地局中で接続コンテキストを破壊することであり、もう１つは同時に保持して、マクロダイバーシチを形成することである。マクロダイバーシチを形成することは、ある期間中、移動局を古い基地局に接続するリンクとその移動局を新しい基地局に接続するリンクとを同時に保持することを意味する。自動セル間転送が実施される時、アクセス点と移動局との間の接続は下記の形状を有する。すなわち、アクセス点から移動局の方に下降する方向では、アクセス点によって送られた同じセルは、移動局がマクロダイバーシチのオペレータを使用する時移動局の方に２つの異なる無線路によってそのセルを転送する２つの異なる基地局によって読み出される。移動局からアクセス点の方に上昇する方向では、アクセス点がマクロダイバーシチを使用する時移動局はバス上の同じ仮想回線を使用してアクセス点に伝送するセルの形態の同じ情報を２つの基地局に送信する。
【００１９】
情報の支持セルが移動局からネットワークのアクセス点の方向にまたは逆にアクセス点から移動局の方に通過する時、同じ情報を内蔵する２つの同類のセグメントが同じように参照され、アクセス点または逆に移動局のマクロダイバーシチのオペレータがこれら２つの同類のセグメントを組み合わせるためには２つの基地局に共通の参照ベースが必要である。そのため、セルによって転送されるセグメントに２つずつ対にして、組み合わせるために番号を付けることが必要である。この動作は、その宛先に届く情報の品質を向上することを目的とする。組み合わせは、比較に基づく２進数の選択によって実行される。また、生成する情報の品質をより良好にするために２つの同類のセグメントを組み合わせることができる。下降する方向では、セル内のセグメントの番号付けは、シーケンス番号をセグメントに割り当てる移動局自体によってまたはマクロダイバーシチが関係する基地局によって実施される。後者の場合、各々移動局と基地局の１つとの間の無線接続によって送られる２つの同一のセグメントには２つの基地局によって与えられた番号が付されていなければならない。そのような一貫した番号付けを得るための手段の１つは、基地局が少なくともフレームのレベルに同期化されている時その基地局の無線フレーム番号を使用することからなる。別の手段は、コールの開始時に移動局自体によって同時に２つの基地局に同期化信号を送り、従って、その基地局は同時に同じセグメントを受けるようにすることからなる。上昇する方向では、番号付けはアクセス点によって実施される。
【００２０】
本発明は、プロトコル装置または複雑なソフトウェアプログラムを加えることなく、移動局内でもネットワーク内でも容易にマクロダイバーシチを実現することができる。ただ、ローカル移動ネットワーク及び／または移動局にマクロダイバーシチのオペレータが必要である。実際、同じシーケンス番号を有する複数のセグメントがマクロダイバーシチのオペレータに到達すると、それらを考慮して、比較し、組み合わせる。しかし、１つのセグメントだけがマクロダイバーシチのオペレータに到達する時、他の同類のセグメントは無線接続中で消失したか、または、転送されていないので、マクロダイバーシチはなく加入者に直接転送される。これは、マクロダイバーシチ段階の開始と終了が明らかに発表される必要はないことを示している。単に、移動局と基地局との間の２つの無線接続及び従ってネットワークのアクセス点ＰＡへの２つの半接続はマクロダイバーシチの間同時に保持されることが必要である。一方、ローカル移動ネットワークは、短い期間の間移動局からネットワークの方に上昇するトラヒックの二重化を許可するために容易にリソースを割り当てることができなければならない。
移動局でのマクロダイバーシチは、同じ情報が２つの基地局によってコピーされるので、下降するトラヒックの二重化を必要とはしない。これは、移動局でのマクロダイバーシチを実現するために下降するトラヒックの二重化を必要とする星型のネットワークに比較して、利点である。
【００２１】
本発明の特に重要な用途は、アクセスネットワークから無線電話網への伝送サポートとして双方向二重リングまたは二重バス状のアーキテクチャを有するＤＱＤＢ ＩＥＥＥ 802.6 規格によるネットワークの使用に関するものである。
ネットワークは、双方向二重リングまたは二重バスによって構成されており、そのノードに直接にまたはサブ組に組み合わせされてベース局が接続されている。双方向二重リングの２つのバスヘッドはアクセス点ＰＡに共に配置されている。これによって情報流を２つのバスに分配することができる。従って、ネットワークのアクセス点と基地局との間の各回路はどちらかのバスによって設定されることができ、これによって、回路ごとにトラヒックをより効果的に管理し、バスの中断にある程度抵抗を与えることができる。
【００２２】
現在、上記の文献に既に記載されているように同期サービスの使用は、マクロダイバーシチを許可しない。実際、同期バスはコール用のバイトを保持する。これらのバイトは、伝送されるコールのビット伝送速度と両立する速度で生成される。情報伝送時、基地局はこれらのバイトが塞がっているかいないかを知らずに書き込む。マクロダイバーシチの動作時、第２の基地局は第１の基地局が書き込んだバイトに書き込むことができ、従って、これらの第１の情報を消去することができる。また、上昇する方向に支持されたビット伝送速度は二倍であり、または、保持されたスロットは情報のビット伝送速度に割り当てられ、従って、マクロダイバーシチのサポートは通信用に割り当てられた仮想回線を変更をせずには不可能である。
【００２３】
これらの理由のため、本発明はＤＱＢＤ規格の接続に向けられたサービスを使用する。そのサービスは、ＤＱＤＢ ＩＥＥＥ 802.6 規格に記載された分配された待ち行列の原理を尊重して、必要に応じて割り当てられたスロットＱＡ（Queue Arbitrated) に基づく。ＤＱＤＢ規格は機能ブロックに組織化され、その交点が管理主体によって管理されている。これらの機能ブロックの中には、スロットＱＡ(Queue Arbitrated)の管理を行うブロックと、コネクション型サービスコンバージェンス機能ＣＯＣＦ(Connection Oriented Convergence Function) を実施するブロックが存在する。コンバージェンス機能とスロットＱＡの管理機能との間に交点を形成するために、管理主体（ＬＭＥ）は一方ではプリミティブＣＬＯＳＥ−ＣＥ及びもう一方ではＯＥＰＮ−ＣＥ−ＣＯＣＦを使用する。プリミティブＯＰＥＮ−ＣＥ−ＣＯＣＦによって、スロットＱＡを管理するブロックでは接続終端点ＣＥＰを書込及び読出に使用される仮想回線に接続することができ、一方、プリミティブＣＬＯＳＥ−ＣＥはこの接続を無効にする。これらのプリミティブは規格に明記されるが、それらの使用は選択による。それによって、コールをそのコールを伝送する仮想回線に接続することができる。本発明の下記の実施例は、コネクション型サービスコンバージェンス機能（ＣＯＣＦ）についての先験的原理を全く含まない。ＤＡＤＢ規格によるアクセスネットワークから来る情報要素の読出動作のため、基地局のスロットＱＡを管理するブロックは使用中であるとして示されており、接続終端点ＣＥＰに組み合わされている接続に関する全てのセルを受け、ヘッダを除去する前にそのヘッダの有効性を制御し、このようにして得られたセグメントをヘッダ内に含まれる仮想回路識別子ＶＣＩに対応する接続終端点を通過させる。逆に、移動局から来る情報要素の移動局の通信相手への書込動作時、基地局のスロットＱＡを管理するブロックは接続終端点から送信されるセグメントを受け、それらにこの接続終端点に接続され、コンバージェンス機能によって特殊化された識別子を含むヘッダを加え、このようにして形成されたセルをネットワークのアクセス点の方向に適切なバスに向ける。書込及び読出の同じ動作は、移動局の通信相手にセグメントを転送し、受けるためにアクセス点で実施される。
【００２４】
本発明の特に重要な別の用途は、無線電話網のアクセスネットワークへの伝送サポートとしてＡＴＭ規格によるネットワークの使用に関する。これは、５バイトのヘッダの48バイトの情報フィールドを備える長さが一定のセルの形状であらゆる種類の情報を伝送することができる広域通信ネットワークでの転送技術である。ヘッダ中には、他のものの中に仮想回線識別子フィールドＶＰＩ (Virtual Paths Identifier)とそのデータ要素が転送中のコール番号を識別する16ビットのフィールドＶＣＩ(Virtual Channel Identifier)がある。
【００２５】
ネットワークの基地局の組は、交換区域に対応するサブユニットに分配される。交換区域は基地局だけを含むことができ、１つの同じ交換区域の基地局は１つの同じＡＴＭ交換局に接続されている。アクセス点ＰＡはそれ自体ＡＴＭ交換局である。ＡＴＭ交換局は少なくとも４つの仮想回線によって遠隔通信ネットワークに接続されており、その４つの仮想回線のうち２つは情報要素が流入するためのモノであり、２つはこれらの情報要素が流出するためのものである。仮想回線は、各方向にデータバスを形成するために流入−流出の対に組織化される。また、同じ仮想回路は、シャフリングネットワークによって同じ双方向二重リングの一部分を形成する他の交換局に接続される。その時、各ＡＴＭ交換局は双方向二重リングのノードを形成し、その２つのバスは仮想回線の接続によって形成される。仮想回線の対は、アクセス点と移動局との間に設定された各コールに接続されている。
【００２６】
双方向二重リングの各バスでは、ＡＴＭ交換局は全ての流を受け、セルを流入仮想回線に接続された流出仮想回線へコピーし、各セルのＶＣＩ識別子を交換区域の各基地局に関するＶＣＩ識別子と比較する。このセルが基地局に関する時、交換局はヘッダの仮想回線からＶＰＩ識別子を除去し、それをセルによって使用される仮想回線に対応するバスの番号によって置換し、セルを局にコピーする。双方向二重リングのＡＴＭ交換局の１つは、バスヘッド機能を実行しなければらない、すなわち、流入セル用のウェルとして働かなければならない。
【００２７】
交換区域の各基地局間のＡＴＭ交換局によって実行しなければならない交換機能は、２つの双方向バスによってまたはその交換テーブルに応じた交換機の内部でのセルの直接配分によって実行される。仮想回線が設定された時、交換処理をプログラムして、流入流から表示された仮想回線識別子ＶＣＩを有するセルを抽出する。交換動作は、適合階層の選択によって完全にされ、この選択は必要ならば各基地局で分散される。
【００２８】
図５は、ローカル移動ネットワークのコンテキストでの用途専用のＡＴＭリング交換機能の概略図である。
従って、第１の仮想回線ＶＰ1が入るノードＮまたはＡＴＭ交換局は系統的にセルを出力仮想回線ＶＰ2にコピーし、他方、流入セルのヘッダによって支持された仮想回線識別子ＶＣＩを検査する。
接続された基地局ＢＳの１つによって管理された接続に対応するＶＣＩ識別子がない時、それはセルを捨てる。ＶＣＩ識別子がある時は、基地局が接続されている内部双方向バスでセルを送る。関係する基地局はそれに割り当てられたセルを読み出し、ヘッダ内のＶＣＩ識別子なしに移動局ＭＳにセルを送る。他の方向では、移動局は書込み、関係する基地局は仮想回線を使用することがある。書き込まれたセルは、そのセルが行かなければならない方向に応じて仮想回線ＶＰ2またはＶＰ3 へのアクセスプローシージャに従う。実際、セルは、ＶＰ1 及びＶＰ4 から来る情報要素が流れる二重バスに到達する。コピーによってリングの連続性を確実にすることができ、すなわち、仮想回線上の情報要素はそのいくつかが基地局に送られている時でさえノードを介して流れることができる。アクセス点は、また、同じ原理によって作動し、各バスについてウェル機能を実行するＡＴＭ交換局である。
【００２９】
本発明は、ＡＴＭネットワークにもＤＱＤＢネットワークにも適用できることが注目される。必要なものは、仮想回線サービスとそれらが属する仮想回線識別子を備えるヘッダを有するセルだけである。
本発明の利点を下記に示す。すなわち、基地局は双方向二重リングまたは二重バスによって互いに直接相互作用するので上位階層レベル、すなわち、双方向二重リングのアクセス点からまったく介入せずにセル間転送が可能である。従って、転送時間は短くなり、アクセス点の負荷は信号化の量と同様に小さくなる。仮想回線の使用によって、マクロダイバーシチを容易に導入することができ、従って、転送中の品質が改善される。
【００３０】
マクロダイバーシチのリンクの挿入及び削除動作は絶対的である。各基地局は、双方向二重リングの通過域全体にアクセスを有し、それによって、まとまる作用から全体的に利益を得ることができる。さらに、本発明は、移動局と基地局との間に存在する無線インターフェースからは完全に無関係である。
【図面の簡単な説明】
【図１】  従来技術の星形ＧＳＭネットワークの概略図である。
【図２】  本発明によるアクセスネットワークの概略図である。
【図３】  本発明によるネットワークのノードの動作を概略的に示したものである。
【図４】  自動セル間転送の概略図である。
【図５】  移動ローカルエリアネットワークのフレームワークでのアプリケーション専用のＡＴＭリング交換センターの機能図である。
【符号の説明】
ＢＳＣ  基地局コントローラ
ＢＴ  基地局
ＭＳＣ  移動サービス交換センター
ＢＳ  基地局
ＭＳ  移動局
ＮＳ、Ｎ  ノード
Ｐａ  通信路
ＶＣＩ、ＶＰＩ、ａ、ｂ  仮想回線識別子
Ａ  リング
Ｃ  セル
ＶＰ1、ＶＰ2、ＶＰ3、ＶＰ4  仮想回線
【図１】
0003781126.tif 000002
【図２】
0003781126.tif 000003
【図３】
0003781126.tif 000004
【図４】
0003781126.tif 000005
【図５】
0003781126.tif 000006